【事件の表示】
　特願２００２−２５７８９３「タッチパネル」拒絶査定不服審判事件〔平成１６年　３月２５日出願公開、特開２００４−　９４７９８〕について、次のとおり審決する。
【結　論】
　本件審判の請求は、成り立たない。
【理　由】
１．手続の経緯・本願発明の要旨
　本願は、平成１４年９月３日の出願であり、平成１９年１１月２１日付けで拒絶査定がなされたところ、これに対して同年１２月２０日に拒絶査定に対する審判請求がなされたものであって、その請求項１に係る発明（以下、「本願発明」という。）は平成１８年１２月１４日付け手続補正書により補正された明細書及び図面の記載からみて、その特許請求の範囲の請求項１に記載された次のとおりのものと認める。
　
「表面に抵抗膜が形成された２つの基板を前記各抵抗膜が対向するように所定の間隔をあけて配置したタッチパネルにおいて、
　操作側となる一方の前記基板の最外層に形成された防汚層と、
　シリコーンゴム系粘着層を介して前記防汚層に剥離可能に貼着される保護フィルムとを備え、
　前記防汚層は、含フッ素有機化合物又は光硬化性シリコーン系化合物を含むタッチパネル。」
　
２．引用例
（１）原査定の拒絶の理由に引用された特開平１０−２４６８８３号公報（以下、「引用例１」という。）には、図面とともに以下の記載がある。
　
Ａ．「【請求項１】  導電層上に、少なくとも、液晶がポリマーマトリックス中に微分散された液晶分散ポリマー層と、表面保護層とを順次積層してなる液晶表示素子において、前記表面保護層の水に対する接触角は８０°以上であると共に、気温２０℃で相対湿度が９０％時における当該表面保護層の体積抵抗率は１０13Ω・ｃｍ以上であることを特徴とする防汚性を有する液晶表示素子。」
　
Ｂ．「【請求項７】  前記表面保護層は、シリコーン樹脂、熱硬化シリコーン樹脂、光硬化シリコーン樹脂、フッ素樹脂、熱硬化フッ素樹脂、光硬化フッ素樹脂及び主鎖部、側鎖部又は末端部にシリコーンあるいはフッ素成分を含むポリマーからなる群から選択される材料からなることを特徴とする請求項１又は２記載の防汚性を有する液晶表示素子。」
　
Ｃ．「【００１０】そこで、本発明は、上記従来の問題を解決するためになされたものであり、表示画面に水分が付着しにくくすると共に、繰り返し使用したり、表示画面に直接手の指で筆記・消去を繰り返しても表示画面に指の油や汗等の汚染物質が付着しにくくし、汚染物質が付着した場合においても乾拭き又は、水拭き等で簡単に取れ、さらに、繰り返し使用することにより表示素子画面の表面に傷が付いたとしても、水分が付着しにくくした防汚性を有する液晶表示素子を提供することを目的とする。」
　
Ｄ．「【００４８】
【発明の効果】以上、詳細に説明したように、本発明の防汚性を有する液晶表示素子によれば、表面保護層の撥水性が高いので、高湿度環境下においても表示素子表面に水分や汚染物質が付着しにくく、筆記画像の輪郭が滲むことがなく、また、表面保護層の体積抵抗率も高いので、従来の透明絶縁体層としての役割を果たすと共に、従来の透明絶縁体層と防汚層の役割を表面保護層の一層で兼ねるので、液晶表示素子の構造が簡素化され、素子全体の厚みを薄くできるため、従来よりも低電圧で筆記が可能となった。本発明の液晶表示素子を手書き液晶ボードに応用した場合、繰り返し使用したり、表示画面に直接手の指で筆記・消去を繰り返しても、表示画面が汚れ難く、表示画像の輪郭や画像のメモリー性が長期保持され、手書き液晶ボードセットとしての付加価値を高めることができた。」
　
　以上の記載によれば、この引用例１には、以下の発明（以下、「引用例１発明」という。）が開示されていると認められる。
「液晶分散ポリマー層と、表面保護層とを順次積層してなり、表示画面に直接手の指で筆記・消去を繰り返しても表示画面に指の油や汗等の汚染物質が付着しにくい手書き液晶ボードセットに応用される液晶表示素子において、前記表面保護層は、シリコーン樹脂、熱硬化シリコーン樹脂、光硬化シリコーン樹脂、フッ素樹脂、熱硬化フッ素樹脂、光硬化フッ素樹脂及び主鎖部、側鎖部又は末端部にシリコーンあるいはフッ素成分を含むポリマーからなる群から選択される材料からなる防汚性を有する液晶表示素子。」
　
（２）原査定の拒絶の理由に引用された特開２００２−１９７９４０号公報（以下、「引用例２」という。）には、図面とともに以下の記載がある。
　
Ａ．「【０００２】
【従来の技術】指で押したり、専用ペンで描画すると、その部分が対面電極と接触、通電して信号が入力される抵抗膜式タッチパネルは、小型、軽量、薄型化に有利であることから、各種の家電や携帯端末の入力機器として広く用いられている。
【０００３】抵抗膜式タッチパネルは、図１（ｂ）に示す如く、ガラス板１の上に透明導電薄膜２を形成してなる下部電極３の上に、高分子フィルム４に透明導電薄膜５を形成してなる上部電極６を、透明導電薄膜２，５が対面するようにスペーサ（マイクロドットスペーサ）７を介して積層したものであり、上部電極６の表示面を指やペンで押すと、上部電極６と下部電極３とが接触して通電し信号が入力される。」
　
Ｂ．「【０００８】
【発明が解決しようとする課題】従来の反射防止フィルムでは、これをタッチパネルの表示面に貼着する場合、表示面に対して貼り直し（リワーク）が可能な適度な密着力と、表示面に接着して製品とした後における必要な高い接着力とを両立することは困難であった。また、架橋型の接着剤を用いた場合には、表示面から剥し取ることができず、このため表示面にキズが付いたり汚れたりしたときに反射防止フィルムを容易に取り替えることができないという欠点がある。
【０００９】一方で、タッチパネルの表示面は、指やペンで擦るために非常に汚れやキズが付き易く、このためタッチパネルの表示面に反射防止フィルムを貼着した場合、反射防止フィルムは汚れたりキズが付いたりすることで、貼り替えが必要となる。
【００１０】本発明は、表示面に反射防止フィルムを貼着したタッチパネルであって、反射防止フィルムのリワーク性に優れ、従って、良好な作業性のもとに表示面に対して貼着することができ、しかも、反射防止フィルムの貼り替えの際には表示面から容易に完全に剥すことができる反射防止フィルム付きタッチパネルを提供することを目的とする。」
　
Ｃ．「【００１９】図１（ａ）は本発明のタッチパネルの実施の形態を示す模式的な断面図であり、このタッチパネルは、図１（ｂ）に示すような通常のタッチパネル１０の表示面に、反射防止フィルム２０を貼着したものである。
【００２０】図示の如く、この反射防止フィルム２０は、有機フィルム１１の一方の面に、ハードコート層１４及び反射防止層１２を形成し、他方の面に粘着剤層１３を形成したものである。」
　
Ｄ．「【００３１】次に、粘着剤層１３の粘着剤について説明する。
【００３２】本発明に係る粘着剤は、ガラス転移温度（Ｔｇ）が２０℃以下のゴム弾性を有するポリマーを主成分（ベースポリマー）とするゴム系粘着剤が好ましい。」
　
Ｅ．「【００３５】このようなベースポリマーの具体例としては、天然ゴム、スチレン−ブタジエンゴム、ブタジエンゴム、イソプレンゴム、アクリロニトリル−ブタジエンゴム、クロロプレンゴム、エチレン−プロピレンゴム、エチレン−プロピレンターポリマー、ブチルゴム、アクリルゴム、シリコーンゴム、エピクロルヒドリンゴム、その他、スチレン−ブタジエン−スチレンブロック共重合体、スチレン−イソプレン−スチレンブロック共重合体、スチレン−ポリエチレン／ブチレン−スチレンブロック共重合体、スチレン−ポリエチレン／プロピレン−スチレンブロック共重合体等の熱可塑性エラストマー、エチレン−酢酸ビニル共重合体、エチレン−エチルアクリレート共重合体、エチレン−メタクリル酸共重合体、エチレン−酢酸ビニル−無水マレイン酸共重合体等のオレフィン系熱可塑性エラストマーなどが挙げられる。」
　
３．対　比
　本願発明と上記引用例１発明を対比する。
　
　一般にタッチパネルは表示装置と入力装置とからなるものであるので、引用例１発明の「液晶表示素子」と、本願発明の「タッチパネル」とは、「表示装置」に関する発明である点で共通する。
　
　引用例１発明の「表面保護層」は、液晶表示素子の基板の操作側の最外層に形成されることは明らかであり、防汚性を有しているので、本願発明の「防汚層」に相当する。
　
　引用例１発明の「フッ素樹脂」、「光硬化シリコーン樹脂」は、本願発明の「含フッ素有機化合物」、「光硬化性シリコーン系化合物」にそれぞれ相当し、引用例１発明の「表面保護層は、シリコーン樹脂、熱硬化シリコーン樹脂、光硬化シリコーン樹脂、フッ素樹脂、熱硬化フッ素樹脂、光硬化フッ素樹脂及び主鎖部、側鎖部又は末端部にシリコーンあるいはフッ素成分を含むポリマーからなる群から選択される材料からなる」ことは、本願発明の「防汚層は、含フッ素有機化合物又は光硬化性シリコーン系化合物を含む」ことに相当する。
　
  したがって、両者は、
「表示装置において、
　操作側となる基板の最外層に形成された防汚層を備え、
　前記防汚層は、含フッ素有機化合物又は光硬化性シリコーン系化合物を含む表示装置。」
で一致するものであり、次の点で相違している。
　
・相違点１
　本願発明では、表示装置は表面に抵抗膜が形成された２つの基板を前記各抵抗膜が対向するように所定の間隔をあけて配置したタッチパネルであるのに対し、引用例１発明では、表示装置は手書き液晶ボードセットに応用される液晶表示素子である点。
　
・相違点２
　本願発明では、シリコーンゴム系粘着層を介して防汚層に剥離可能に貼着される保護フィルムを備えているのに対し、引用例１発明ではその点の記載がない点。
　
４．当審の判断
　そこで、上記相違点について検討する。
　
・相違点１について
　引用例２には、ガラス板１の上に透明導電薄膜２を形成してなる下部電極３の上に、高分子フィルム４に透明導電薄膜５を形成してなる上部電極６を、透明導電薄膜２，５が対面するようにスペーサ（マイクロドットスペーサ）７を介して積層した抵抗膜式タッチパネルが記載されている。引用例２の抵抗膜式タッチパネルの「透明導電薄膜２，５」は、本願発明の「抵抗膜」に相当し、引用例２の「ガラス板１」と「高分子フィルム４」は、本願発明の所定の間隔を空けて配置された「２つの基板」に相当する。
　引用例１発明と引用例２は、表示装置という同一の技術分野に属しており、表面が操作入力面となる点で共通しているので、引用例１発明の表示装置を引用例２記載の抵抗膜式タッチパネルとすることは当業者が容易に想到し得たものである。
　
・相違点２について
　引用例２には、反射防止フィルムの貼り替えの際には表示面から容易に完全に剥すことができ、粘着剤層１３としてシリコーンゴムを主成分（ベースポリマー）とするゴム系粘着剤を用いた反射防止フィルムを貼着したタッチパネルが記載されている。そして、タッチパネルや液晶表示装置の表面に保護フィルムを貼り付けることは、周知技術（例えば、特開平８−３２９７６７号公報の【００１２】〜【００２３】段落、特開２００１−１３９９０３号公報の【０００８】及び【０００９】、【００２５】、【００３１】〜【００３３】段落、特開平１０−１０５０７３号公報の【０００１】及び【００１３】、【００１４】段落、参照）であり、また、粘着層が貼り付け対象物から剥離しやすくするため、貼り付け対象物の表面にフッ素樹脂層やシリコンコート層を設けることも周知技術（例えば、特開平９−２０７２７５号公報の【００１９】段落、特開平２−５２７３８号公報の第２頁右下欄第８行〜第９行、参照）である。さらに、引用例１発明と引用例２とは表示装置という同一の技術分野に属し、傷付きや汚れを防止するという共通の課題を有している。したがって、引用例１発明の表示装置において、さらに傷付きや汚れを防止するために、引用例２に記載の反射防止フィルムを貼着する構成とすることは当業者が容易に想到し得たものである。
　
　そして、本願発明の作用効果は引用例１発明及び引用例２、周知技術から当業者が予測し得る範囲内のものである。
　
　したがって、本願発明は引用例１発明及び引用例２、周知技術に基づいて
当業者が容易に想到し得たものである。
　
５．むすび
　以上のとおり、本願の請求項１に係る発明は引用例１発明及び引用例２、周知技術に基づいて当業者が容易に発明をすることができたものであるから、特許法第２９条第２項の規定により、特許を受けることができない。
　
　したがって、本願はその余の請求項について論及するまでもなく、拒絶すべきものである。
　
　よって、結論のとおり審決する。